(57)【要約】【課題】  デジタル放送波の受信環境が悪く、映像データの復号化過程でエラーが発生する場合でも、見易い映像を表示することができるデジタル放送受信装置を得ることを目的とする。【解決手段】  ＭＰＥＧビデオデコード部２における復号化過程のエラー回数Ｘをカウントする復号化エラーカウント部３を設け、その復号化エラーカウント部３によりカウントされたエラー回数Ｘに応じて映像の表示単位を決定し、その表示単位の復号化処理をＭＰＥＧビデオデコード部２に指示する。【選択図】        図１
2006339863.tif 000002
【特許請求の範囲】
【請求項１】
デジタル放送波に含まれている映像データを指定の表示単位で復号化する復号化手段と、上記復号化手段における復号化過程のエラー回数をカウントするエラーカウント手段と、上記エラーカウント手段によりカウントされたエラー回数に応じて映像の表示単位を決定し、その表示単位の復号化処理を上記復号化手段に指示する表示単位切替手段と、上記復号化手段により復号化された映像データにしたがって映像を表示する映像表示手段とを備えたデジタル放送受信装置。
【請求項２】
表示単位切替手段は、現在の表示単位に対応する閾値とエラーカウント手段によりカウントされたエラー回数を比較し、その比較結果に応じて映像の表示単位を決定することを特徴とする請求項１記載のデジタル放送受信装置。
【請求項３】
映像表示手段は、映像の表示単位をスライス単位、ピクチャ単位又はシーケンス単位のいずれかに決定することを特徴とする請求項１または請求項２記載のデジタル放送受信装置。
【請求項４】
映像表示手段により表示された映像のフレーム数をカウントするフレームカウント手段を設け、表示単位切替手段が上記フレームカウント手段によりカウントされたフレーム数に応じて映像の表示単位を決定し、その表示単位の復号化処理を復号化手段に指示することを特徴とする請求項１記載のデジタル放送受信装置。
【請求項５】
表示単位切替手段は、現在の表示単位に対応する閾値とフレームカウント手段によりカウントされたフレーム数を比較し、その比較結果に応じて映像の表示単位を決定することを特徴とする請求項４記載のデジタル放送受信装置。
【請求項６】
エラーカウント手段は、復号化手段における復号化過程でエラーが発生すると、そのエラーが発生しているスライスを特定し、そのスライスの表示位置が予め設定されている表示範囲内に含まれている場合、エラー回数をカウントしないことを特徴とする請求項１から請求項５のうちのいずれか１項記載のデジタル放送受信装置。
【請求項７】
表示単位切替手段は、復号化手段から復号化過程で用いられる動きベクトルを取得し、その動きベクトルの大きさを考慮して映像の表示単位を決定することを特徴とする請求項１から請求項６のうちのいずれか１項記載のデジタル放送受信装置。
【請求項８】
表示単位切替手段は、復号化手段から復号化過程で用いられる動きベクトルの大きさに応じて現在の表示単位に対応する閾値を補正することを特徴とする請求項７記載のデジタル放送受信装置。
【請求項９】
表示単位切替手段は、デジタル放送波に含まれている番組情報を抽出し、その番組情報が示す番組ジャンルを考慮して映像の表示単位を決定することを特徴とする請求項１から請求項８のうちのいずれか１項記載のデジタル放送受信装置。
【請求項１０】
表示単位切替手段は、番組情報が示す番組ジャンルに応じて現在の表示単位に対応する閾値を補正することを特徴とする請求項９記載のデジタル放送受信装置。
【発明の詳細な説明】
【技術分野】
【０００１】
この発明は、デジタル放送波に含まれているＭＰＥＧ圧縮映像データを復号化し、その復号化データにしたがって映像を表示するデジタル放送受信装置に関するものである。
【背景技術】
【０００２】
従来のデジタル放送受信装置は、ＭＰＥＧ圧縮方式で構成されている映像データを含むデジタル放送波を受信する際、そのデジタル放送波の受信エラーが発生して、映像の劣化が発生すると、その映像の劣化状態を第１劣化状態、第２劣化状態又は第３劣化状態に分類する。
デジタル放送受信装置は、映像の劣化状態が第１劣化状態である場合、フレーム内符号化画像（Ｉピクチャ）とフレーム間順方向予測符号化画像（Ｐピクチャ）を用いて、復号化映像データを作成し、その復号化映像データにしたがって映像を表示する。
【０００３】
第１劣化状態より映像が劣化して、映像の劣化状態が第２劣化状態になると、フレーム内符号化画像（Ｐピクチャ）を用いて、復号化画像データを作成し、その復号化映像データにしたがって映像を表示する。
第２劣化状態より映像が劣化して、映像の劣化状態が第３劣化状態になると、予めメモリに格納している良好な画質の画像データにしたがって完全静止画を表示する。あるいは、映像の表示を停止して、画質の低下を抑制する（例えば、特許文献１参照）。
【０００４】
【特許文献１】特開２００４−１１２６５４号公報（第２頁から第８頁、図１）
【発明の開示】
【発明が解決しようとする課題】
【０００５】
従来のデジタル放送受信装置は以上のように構成されているので、映像の劣化状態に応じて映像データを復号化し、その復号化の過程でエラーが発生すると、その映像データを廃棄する。しかし、復号化の過程でエラーが発生しても、映像の表示単位は常に同じであるため、例えば、あるスライスの映像を正常に表示できる場合でも、他のスライスの映像を正常に表示できない場合には、フレーム単位で映像データを廃棄してしまって映像を表示することができなくなるなどの課題があった。
【０００６】
この発明は上記のような課題を解決するためになされたもので、デジタル放送波の受信環境が悪く、映像データの復号化過程でエラーが発生する場合でも、見易い映像を表示することができるデジタル放送受信装置を得ることを目的とする。
【課題を解決するための手段】
【０００７】
この発明に係るデジタル放送受信装置は、復号化手段における復号化過程のエラー回数をカウントするエラーカウント手段を設け、そのエラーカウント手段によりカウントされたエラー回数に応じて映像の表示単位を決定し、その表示単位の復号化処理を復号化手段に指示するようにしたものである。
【発明の効果】
【０００８】
以上のように、この発明によれば、復号化手段における復号化過程のエラー回数をカウントするエラーカウント手段を設け、そのエラーカウント手段によりカウントされたエラー回数に応じて映像の表示単位を決定し、その表示単位の復号化処理を復号化手段に指示するように構成したので、デジタル放送波の受信環境が悪く、映像データの復号化過程でエラーが発生する場合でも、見易い映像を表示することができる効果がある。
【発明を実施するための最良の形態】
【０００９】
実施の形態１．
図１はこの発明の実施の形態１によるデジタル放送受信装置を示す構成図であり、図において、ＭＰＥＧ−ＴＳ分離部１は例えばチューナからデジタル放送波の復調信号であるＭＰＥＧ（Ｍｏｖｉｎｇ  Ｐｉｃｔｕｒｅ  Ｅｘｐｅｒｔ  Ｇｒｏｕｐ）−ＴＳデータを受けると、そのＭＰＥＧ−ＴＳデータに多重化されているＭＰＥＧビデオデータ（ＭＰＥＧ圧縮映像データ）などを分離する処理を実施する。
ＭＰＥＧビデオデコード部２はＭＰＥＧ−ＴＳ分離部１からＭＰＥＧビデオデータを受けると、映像表示切替部５により指定された表示単位（スライス単位Ｓ１、ピクチャ単位Ｓ２又はシーケンス単位Ｓ３）で、そのＭＰＥＧビデオデータを復号化するとともに、その復号化の過程でエラーが発生すると、エラーが発生した旨を復号化エラーカウント部３に通知する処理を実施する。
なお、ＭＰＥＧ−ＴＳ分離部１及びＭＰＥＧビデオデコード部２から復号化手段が構成されている。
【００１０】
復号化エラーカウント部３はＭＰＥＧビデオデコード部２からエラー通知を受ける毎に、ＭＰＥＧビデオデコード部２における復号化過程のエラー回数Ｘをカウントアップするなどの処理を実施する。なお、復号化エラーカウント部３はエラーカウント手段を構成している。
映像表示判定部４は復号化エラーカウント部３によりカウントされたエラー回数Ｘに応じて映像の表示単位を決定する処理を実施する。
映像表示切替部５は映像表示判定部４から映像の表示単位の通知を受けると、その表示単位の復号化処理をＭＰＥＧビデオデコード部２に指示する処理を実施する。なお、映像表示判定部４及び映像表示切替部５から表示単位切替手段が構成されている。
映像表示部６はＭＰＥＧビデオデコード部２により復号化されたＭＰＥＧビデオデータにしたがって映像を表示する処理を実施する。なお、映像表示部６は映像表示手段を構成している。
【００１１】
映像表示判定部４のエラーカウント閾値制御表格納部１１は現在の表示単位に対応する閾値Ａ１，Ａ２，Ｂ１，Ｂ２が明記されているエラーカウント閾値制御表を格納しているメモリである。
映像表示判定部４のエラーカウント閾値抽出部１２はエラーカウント閾値制御表格納部１１に格納されているエラーカウント閾値制御表の中から、現在の表示単位に対応する閾値を抽出する処理を実施する。
映像表示判定部４のエラーカウント判定部１３はエラーカウント閾値抽出部１２により抽出された閾値と復号化エラーカウント部３によりカウントされたエラー回数Ｘを比較し、その比較結果に応じて映像の表示単位を決定する処理を実施する。
映像表示判定部４のエラーカウント表示切替指示部１４はエラーカウント判定部１３により決定された映像の表示単位を映像表示切替部５に通知する処理を実施する。
【００１２】
図２はこの発明の実施の形態１によるデジタル放送受信装置の映像表示判定部４における表示単位の切替順序を示す遷移図である。
図において、スライス単位Ｓ１はＭＰＥＧビデオデコード部２がスライス毎にＭＰＥＧビデオデータを復号化して、その復号化データを映像表示部６に出力する単位である。
ピクチャ単位Ｓ２はＭＰＥＧビデオデコード部２がＩピクチャ／Ｐピクチャ／Ｂピクチャ／毎にＭＰＥＧビデオデータを復号化して、その復号化データを映像表示部６に出力する単位である。
シーケンス単位Ｓ３はＭＰＥＧビデオデコード部２がシーケンス毎にＭＰＥＧビデオデータを復号化して、その復号化データを映像表示部６に出力する単位である。
【００１３】
ａ１はスライス単位Ｓ１からピクチャ単位Ｓ２に状態遷移することを示している矢印である。
ａ２はピクチャ単位Ｓ２からシーケンス単位Ｓ３に状態遷移することを示している矢印である。
ｂ１はピクチャ単位Ｓ２からスライス単位Ｓ１に状態遷移することを示している矢印である。
ｂ２はシーケンス単位Ｓ３からピクチャ単位Ｓ２に状態遷移することを示している矢印である。
【００１４】
図３はエラーカウント閾値制御表格納部１１に格納されているエラーカウント閾値制御表を示す説明図であり、エラーカウント閾値制御表は、表示単位をａ方向又はｂ方向に変更するか否かを判断する際に使用する閾値を保持しており、現在の表示単位がスライス単位Ｓ１であれば閾値Ａ１、現在の表示単位がピクチャ単位Ｓ２であれば閾値Ａ２及び閾値Ｂ１、現在の表示単位がシーケンス単位Ｓ３であれば閾値Ｂ２を使用する旨を明記している。
【００１５】
次に動作について説明する。
ＭＰＥＧ−ＴＳ分離部１は、例えば、チューナがフェージングノイズなどが起こる環境下でデジタル放送波を受信して、そのデジタル放送波を復調し、そのデジタル放送波の復調信号であるＭＰＥＧ−ＴＳデータを出力すると、そのＭＰＥＧ−ＴＳデータに多重化されているＭＰＥＧビデオデータを分離する処理を実施する。
【００１６】
ＭＰＥＧビデオデコード部２は、ＭＰＥＧ−ＴＳ分離部１からＭＰＥＧビデオデータを受けると、映像表示切替部５により指定された表示単位（スライス単位Ｓ１、ピクチャ単位Ｓ２又はシーケンス単位Ｓ３）で、そのＭＰＥＧビデオデータを復号化する。
即ち、ＭＰＥＧビデオデコード部２は、映像表示切替部５からスライス単位Ｓ１の復号化処理の指示を受けると、ＭＰＥＧビデオデータをスライス単位Ｓ１で復号化して、その復号化データを映像表示部６に出力する。
また、映像表示切替部５からピクチャ単位Ｓ２の復号化処理の指示を受けると、ＭＰＥＧビデオデータをピクチャ単位Ｓ２で復号化して、その復号化データを映像表示部６に出力する。
また、映像表示切替部５からシーケンス単位Ｓ３の復号化処理の指示を受けると、ＭＰＥＧビデオデータをシーケンス単位Ｓ３で復号化して、その復号化データを映像表示部６に出力する。
ＭＰＥＧビデオデコード部２は、その復号化の過程でエラーが発生すると、エラーが発生した旨を復号化エラーカウント部３に通知する。
【００１７】
復号化エラーカウント部３は、ＭＰＥＧビデオデコード部２からエラー通知を受ける毎に、ＭＰＥＧビデオデコード部２における復号化過程のエラー回数Ｘをカウントアップする処理を実施する。
復号化エラーカウント部３は、予め設定された周期で、復号化過程のエラー回数Ｘを映像表示判定部４に通知する。
なお、復号化エラーカウント部３は、復号化過程のエラー回数Ｘを映像表示判定部４に通知すると、自己が記憶しているエラー回数Ｘを０クリアする（映像の表示単位が切り替えられた場合にも、自己が記憶しているエラー回数Ｘを０クリアする）。
【００１８】
映像表示判定部４は、復号化エラーカウント部３によりカウントされたエラー回数Ｘに応じて映像の表示単位を決定する処理を実施する。
即ち、映像表示判定部４のエラーカウント判定部１３は、復号化エラーカウント部３から復号化過程のエラー回数Ｘを受けると、閾値の抽出処理をエラーカウント閾値抽出部１２に依頼する。
映像表示判定部４のエラーカウント閾値抽出部１２は、エラーカウント判定部１３から閾値の抽出依頼を受けると、エラーカウント閾値制御表格納部１１に格納されているエラーカウント閾値制御表の中から、現在の表示単位に対応する閾値を抽出する処理を実施する。
例えば、現在の表示単位がスライス単位Ｓ１であれば、閾値Ａ１を抽出し、現在の表示単位がピクチャ単位Ｓ２であれば、閾値Ａ２と閾値Ｂ１を抽出し、現在の表示単位がシーケンス単位Ｓ３であれば、閾値Ｂ２を抽出する。
ここでは、説明の便宜上、Ａ１＜Ｂ１＜Ａ２＜Ｂ２の関係があるものとする。
【００１９】
映像表示判定部４のエラーカウント判定部１３は、エラーカウント閾値抽出部１２が現在の表示単位に対応する閾値を抽出すると、現在の表示単位に対応する閾値と復号化エラーカウント部３によりカウントされたエラー回数Ｘを比較し、その比較結果に応じて映像の表示単位を決定する処理を実施する。
例えば、現在の表示単位がスライス単位Ｓ１であれば、閾値Ａ１とエラー回数Ｘを比較し、その比較結果がＸ≦Ａ１であれば、デジタル放送波の受信状況が良好であると考えられるので、表示単位を変更しないものと決定する。
一方、その比較結果がＸ＞Ａ１であれば、デジタル放送波の受信状況が悪化していると考えられるので、表示単位をａ方向、即ち、表示単位をスライス単位Ｓ１からピクチャ単位Ｓ２に変更するものと決定する。
【００２０】
例えば、現在の表示単位がピクチャ単位Ｓ２であれば、閾値Ａ２とエラー回数Ｘを比較するとともに、閾値Ｂ１とエラー回数Ｘを比較する。
その比較結果がＸ≦Ｂ１であれば、デジタル放送波の受信状況が改善していると考えられるので、表示単位をｂ方向、即ち、表示単位をピクチャ単位Ｓ２からスライス単位Ｓ１に変更するものと決定する。
その比較結果がＢ１＜Ｘ≦Ａ２であれば、デジタル放送波の受信状況に変化がないので、表示単位を変更しないものと決定する。
その比較結果がＸ＞Ａ２であれば、デジタル放送波の受信状況が悪化していると考えられるので、表示単位をａ方向、即ち、表示単位をピクチャ単位Ｓ２からシーケンス単位Ｓ３に変更するものと決定する。
【００２１】
例えば、現在の表示単位がシーケンス単位Ｓ３であれば、閾値Ｂ２とエラー回数Ｘを比較する。
その比較結果がＸ≦Ｂ２であれば、デジタル放送波の受信状況が改善していると考えられるので、表示単位をｂ方向、即ち、表示単位をシーケンス単位Ｓ３からピクチャ単位Ｓ２に変更するものと決定する。
一方、その比較結果がＸ＞Ｂ２であれば、デジタル放送波の受信状況が不良であると考えられるので、表示単位を変更しないものと決定する。
【００２２】
映像表示判定部４のエラーカウント表示切替指示部１４は、エラーカウント判定部１３が映像の表示単位を決定すると、その映像の表示単位を映像表示切替部５に通知する処理を実施する。
映像表示切替部５は、映像表示判定部４から映像の表示単位の通知を受けると、その表示単位の復号化処理をＭＰＥＧビデオデコード部２に指示する。
【００２３】
映像表示部６は、上記のようにして、ＭＰＥＧビデオデコード部２が映像表示切替部５により指定された表示単位で、そのＭＰＥＧビデオデータを復号化すると、その復号化データであるＭＰＥＧビデオデータにしたがって映像を表示する処理を実施する。
即ち、映像表示部６は、ＭＰＥＧビデオデコード部２から出力された復号化データであるＭＰＥＧビデオデータを内部のフレームバッファに保存し、そのＭＰＥＧビデオデータに対する色空間変換処理や、ＮＴＳＣなどのフォーマットの生成処理を実施する。
例えば、処理後のＭＰＥＧビデオデータを必要に応じてＤ／Ａ変換し、アナログ信号で、あるいは、デジタル信号で映像信号を出力する。
【００２４】
以上で明らかなように、この実施の形態１によれば、ＭＰＥＧビデオデコード部２における復号化過程のエラー回数Ｘをカウントする復号化エラーカウント部３を設け、その復号化エラーカウント部３によりカウントされたエラー回数Ｘに応じて映像の表示単位を決定し、その表示単位の復号化処理をＭＰＥＧビデオデコード部２に指示するように構成したので、復号化過程のエラー回数Ｘに応じて映像の表示単位を動的に変更することができるようになり、その結果、デジタル放送波の受信環境が悪く、映像データの復号化過程でエラーが発生する場合でも、見易い映像を表示することができる効果を奏する。
【００２５】
なお、この実施の形態１では、ＭＰＥＧビデオデコード部２からエラー通知を受ける毎に、復号化エラーカウント部３がＭＰＥＧビデオデコード部２における復号化過程のエラー回数Ｘをカウントアップするものについて示したが、この際、ＭＰＥＧビデオデコード部２は、現在の表示単位でエラーを通知するようにしてもよいし、常に同一の表示単位（スライス単位、ピクチャ単位又はシーケンス単位）でエラーを通知するようにしてもよい。
【００２６】
また、この実施の形態１では、映像表示判定部４のエラーカウント判定部１３が復号化エラーカウント部３から復号化過程のエラー回数Ｘを受けると、現在の表示単位と関係なく、閾値の抽出処理をエラーカウント閾値抽出部１２に依頼するものについて示したが、現在の表示単位で発生するエラーカウントに対する閾値としての抽出処理をエラーカウント閾値抽出部１２に依頼するようにしてもよい。
【００２７】
実施の形態２．
図４はこの発明の実施の形態２によるデジタル放送受信装置を示す構成図であり、図において、図１と同一符号は同一または相当部分を示すので説明を省略する。
表示フレームカウント部７は映像表示部６により表示された映像のフレーム数Ｙをカウントする処理を実施する。なお、表示フレームカウント部７はフレームカウント手段を構成している。
映像表示判定部８は復号化エラーカウント部３によりカウントされたエラー回数Ｘに応じて映像の表示単位を決定するとともに、表示フレームカウント部７によりカウントされたフレーム数Ｙに応じて映像の表示単位を決定する処理を実施する。なお、映像表示判定部８及び映像表示切替部５から表示単位切替手段が構成されている。
【００２８】
映像表示判定部８のフレームカウント閾値制御表格納部２１は現在の表示単位に対応する閾値Ｆ１，Ｆ２が明記されているフレームカウント閾値制御表を格納しているメモリである。
映像表示判定部８のフレームカウント閾値抽出部２２はフレームカウント閾値制御表格納部２１に格納されているフレームカウント閾値制御表の中から、現在の表示単位に対応する閾値を抽出する処理を実施する。
映像表示判定部８のフレームカウント判定部２３はフレームカウント閾値抽出部２２により抽出された閾値と表示フレームカウント部７によりカウントされたフレーム数Ｙを比較し、その比較結果に応じて映像の表示単位を決定する処理を実施する。
映像表示判定部８のフレームカウント表示切替指示部２４はフレームカウント判定部２３により決定された映像の表示単位を映像表示切替部５に通知する処理を実施する。
【００２９】
次に動作について説明する。
ＭＰＥＧ−ＴＳ分離部１は、例えば、チューナがフェージングノイズなどが起こる環境下でデジタル放送波を受信して、そのデジタル放送波を復調し、そのデジタル放送波の復調信号であるＭＰＥＧ−ＴＳデータを出力すると、そのＭＰＥＧ−ＴＳに多重化されているＭＰＥＧビデオデータを分離する処理を実施する。
【００３０】
ＭＰＥＧビデオデコード部２は、ＭＰＥＧ−ＴＳ分離部１からＭＰＥＧビデオデータを受けると、上記実施の形態１と同様に、映像表示切替部５により指定された表示単位（スライス単位Ｓ１、ピクチャ単位Ｓ２又はシーケンス単位Ｓ３）で、そのＭＰＥＧビデオデータを復号化する。
また、ＭＰＥＧビデオデコード部２は、その復号化の過程でエラーが発生すると、上記実施の形態１と同様に、エラーが発生した旨を復号化エラーカウント部３に通知する。
【００３１】
復号化エラーカウント部３は、ＭＰＥＧビデオデコード部２からエラー通知を受ける毎に、ＭＰＥＧビデオデコード部２における復号化過程のエラー回数Ｘをカウントアップする処理を実施する。
復号化エラーカウント部３は、予め設定された周期で、復号化過程のエラー回数Ｘを映像表示判定部８に通知する。
なお、復号化エラーカウント部３は、復号化過程のエラー回数Ｘを映像表示判定部８に通知すると、自己が記憶しているエラー回数Ｘを０クリアする（映像の表示単位が切り替えられた場合にも、自己が記憶しているエラー回数Ｘを０クリアする）。
【００３２】
表示フレームカウント部７は、映像表示部６が映像を表示する毎に、その映像のフレーム数Ｙをカウントアップする処理を実施する。
表示フレームカウント部７は、予め設定された周期で、映像のフレーム数Ｙを映像表示判定部８に通知する。
なお、表示フレームカウント部７は、映像のフレーム数Ｙを映像表示判定部８に通知すると、自己が記憶しているフレーム数Ｙを０クリアする（映像の表示単位が切り替えられた場合にも、自己が記憶しているフレーム数Ｙを０クリアする）。
【００３３】
映像表示判定部８は、復号化エラーカウント部３によりカウントされたエラー回数Ｘに応じて映像の表示単位を決定するとともに、表示フレームカウント部７によりカウントされたフレーム数Ｙに応じて映像の表示単位を決定する処理を実施する。
以下、映像表示判定部８の処理内容を具体的に説明するが、この実施の形態２では、ａ方向の変更処理は、エラー回数Ｘに応じて変更し、ｂ方向の変更処理は、フレーム数Ｙに応じて変更する。
【００３４】
即ち、映像表示判定部８のエラーカウント判定部１３は、復号化エラーカウント部３から復号化過程のエラー回数Ｘを受けると、上記実施の形態１と同様に、閾値の抽出処理をエラーカウント閾値抽出部１２に依頼する。
映像表示判定部８のエラーカウント閾値抽出部１２は、エラーカウント判定部１３から閾値の抽出依頼を受けると、上記実施の形態１と同様に、エラーカウント閾値制御表格納部１１に格納されているエラーカウント閾値制御表の中から、現在の表示単位に対応する閾値を抽出する処理を実施する。ただし、この実施の形態２では、ｂ方向の変更処理は、エラー回数Ｘではなく、フレーム数Ｙに応じて変更するので、閾値Ｂ１，Ｂ２は抽出しない。
ここでは、説明の便宜上、Ａ１＜Ａ２の関係があるものとする。
【００３５】
映像表示判定部８のエラーカウント判定部１３は、エラーカウント閾値抽出部１２が現在の表示単位に対応する閾値を抽出すると、上記実施の形態１と同様に、現在の表示単位に対応する閾値と復号化エラーカウント部３によりカウントされたエラー回数Ｘを比較し、その比較結果に応じて映像の表示単位を決定する処理を実施する。
例えば、現在の表示単位がスライス単位Ｓ１であれば、閾値Ａ１とエラー回数Ｘを比較し、その比較結果がＸ≦Ａ１であれば、デジタル放送波の受信状況が良好であると考えられるので、表示単位を変更しないものと決定する。
一方、その比較結果がＸ＞Ａ１であれば、デジタル放送波の受信状況が悪化していると考えられるので、表示単位をａ方向、即ち、表示単位をスライス単位Ｓ１からピクチャ単位Ｓ２に変更するものと決定する。
【００３６】
例えば、現在の表示単位がピクチャ単位Ｓ２であれば、閾値Ａ２とエラー回数Ｘを比較する。
その比較結果がＸ≦Ａ２であれば、デジタル放送波の受信状況に変化がないので、表示単位を変更しないものと決定する。
その比較結果がＸ＞Ａ２であれば、デジタル放送波の受信状況が悪化していると考えられるので、表示単位をａ方向、即ち、表示単位をピクチャ単位Ｓ２からシーケンス単位Ｓ３に変更するものと決定する。
【００３７】
映像表示判定部８のエラーカウント表示切替指示部１４は、エラーカウント判定部１３が映像の表示単位を決定すると、上記実施の形態１と同様に、その映像の表示単位を映像表示切替部５に通知する処理を実施する。
【００３８】
映像表示判定部８のフレームカウント判定部２３は、表示フレームカウント部７から映像のフレーム数Ｙを受けると、閾値の抽出処理をフレームカウント閾値抽出部２２に依頼する。
映像表示判定部８のフレームカウント閾値抽出部２２は、フレームカウント判定部２３から閾値の抽出依頼を受けると、フレームカウント閾値制御表格納部２１に格納されているフレームカウント閾値制御表の中から、現在の表示単位に対応する閾値を抽出する処理を実施する。
例えば、現在の表示単位がピクチャ単位Ｓ２であれば、閾値Ｆ１を抽出し、現在の表示単位がシーケンス単位Ｓ３であれば、閾値Ｆ２を抽出する。なお、現在の表示単位がスライス単位Ｓ１であれば、閾値の抽出処理は実施しない。
ここでは、説明の便宜上、Ｆ１Ｆ２の関係があるものとする。
【００３９】
映像表示判定部８のフレームカウント判定部２３は、フレームカウント閾値抽出部２２が現在の表示単位に対応する閾値を抽出すると、現在の表示単位に対応する閾値と表示フレームカウント部７によりカウントされたフレーム数Ｙを比較し、その比較結果に応じて映像の表示単位を決定する処理を実施する。
例えば、現在の表示単位がピクチャ単位Ｓ２であれば、閾値Ｆ１とフレーム数Ｙを比較する。
その比較結果がＹＦ１であれば、デジタル放送波の受信状況が改善して、エラー回数Ｘが減少していると考えられるので、表示単位をｂ方向、即ち、表示単位をピクチャ単位Ｓ２からスライス単位Ｓ１に変更するものと決定する。
一方、その比較結果がＹＦ１であれば、デジタル放送波の受信状況が悪化して、エラー回数Ｘが増加していると考えられるので、映像の表示単位を変更しないものと決定する。
【００４０】
例えば、現在の表示単位がシーケンス単位Ｓ３であれば、閾値Ｆ２とフレーム数Ｙを比較する。
その比較結果がＹＦ２であれば、デジタル放送波の受信状況が改善して、エラー回数Ｘが減少していると考えられるので、表示単位をｂ方向、即ち、表示単位をシーケンス単位Ｓ３からピクチャ単位Ｓ２に変更するものと決定する。
一方、その比較結果がＹＦ２であれば、デジタル放送波の受信状況が悪化して、エラー回数Ｘが増加していると考えられるので、映像の表示単位を変更しないものと決定する。
【００４１】
映像表示判定部８のフレームカウント表示切替指示部２４は、フレームカウント判定部２３が映像の表示単位を決定すると、その映像の表示単位を映像表示切替部５に通知する処理を実施する。
映像表示切替部５は、映像表示判定部４のエラーカウント表示切替指示部１４又はフレームカウント表示切替指示部２４から映像の表示単位の通知を受けると、その表示単位の復号化処理をＭＰＥＧビデオデコード部２に指示する。
【００４２】
映像表示部６は、上記のようにして、ＭＰＥＧビデオデコード部２が映像表示切替部５により指定された表示単位で、そのＭＰＥＧビデオデータを復号化すると、上記実施の形態１と同様に、その復号化データであるＭＰＥＧビデオデータにしたがって映像を表示する処理を実施する。
また、映像表示部６は、映像を表示する毎に、その映像のフレーム数を表示フレームカウント部７に通知する処理を実施する。
【００４３】
以上で明らかなように、この実施の形態２によれば、映像表示部６により表示された映像のフレーム数Ｙをカウントする表示フレームカウント部７を設け、映像表示判定部８が表示フレームカウント部７によりカウントされたフレーム数Ｙに応じて映像の表示単位を決定し、その表示単位の復号化処理をＭＰＥＧビデオデコード部２に指示するように構成したので、復号化過程におけるエラーの発生状況が確実に改善されていることが確認されれば、現在の表示単位を動的に変更することができるようになり、その結果、上記実施の形態１よりも、表示の信頼性を高めることができる効果を奏する。
【００４４】
また、この実施の形態２では、映像表示判定部８のフレームカウント判定部２３が表示フレームカウント部７から映像のフレーム数Ｙを受けると、現在の表示単位と関係なく、閾値の抽出処理をフレームカウント閾値抽出部２２に依頼するものについて示したが、現在の表示単位でのフレームカウントに対する閾値としての抽出処理をフレームカウント閾値抽出部２２に依頼するようにしてもよい。
【００４５】
実施の形態３．
図６はこの発明の実施の形態３によるデジタル放送受信装置を示す構成図であり、図において、図４と同一符号は同一または相当部分を示すので説明を省略する。
スライス表示位置検出部３１はＭＰＥＧビデオデコード部２における復号化過程でエラーが発生すると、そのエラーが発生しているスライスを特定し、そのスライスの表示位置を検出する処理を実施する。
エラー未カウント指示部３２はスライス表示位置検出部３１により検出されたスライスの表示位置が予め設定されている表示範囲内に含まれている場合、復号化エラーカウント部３におけるエラー回数Ｘのカウント処理を行わせないように制御する処理を実施する。
なお、スライス表示位置検出部３１、エラー未カウント指示部３２及び復号化エラーカウント部３からエラーカウント手段が構成されている。
【００４６】
上記実施の形態１では、ＭＰＥＧビデオデコード部２からエラー通知を受ける毎に、復号化エラーカウント部３が、ＭＰＥＧビデオデコード部２における復号化過程のエラー回数Ｘをカウントアップするものについて示したが、ＭＰＥＧビデオデコード部２における復号化過程でエラーが発生すると、そのエラーが発生しているスライスを特定し、そのスライスの表示位置が予め設定されている表示範囲内に含まれている場合、エラー回数Ｘをカウントしないようにしてもよい。
具体的には、以下の通りである。
【００４７】
ＭＰＥＧビデオデコード部２は、ＭＰＥＧ−ＴＳ分離部１からＭＰＥＧビデオデータを受けると、上記実施の形態１と同様に、映像表示切替部５により指定された表示単位（スライス単位Ｓ１、ピクチャ単位Ｓ２又はシーケンス単位Ｓ３）で、そのＭＰＥＧビデオデータを復号化するとともに、その復号化の過程でエラーが発生すると、エラーが発生した旨を復号化エラーカウント部３及びスライス表示位置検出部３１に通知する。
【００４８】
スライス表示位置検出部３１は、ＭＰＥＧビデオデコード部２における復号化過程でエラーが発生すると、そのエラーが発生しているスライスを特定し、そのスライスの表示位置（１フレーム内の位置）を検出する処理を実施する。
エラー未カウント指示部３２は、スライス表示位置検出部３１が、エラーが発生しているスライスの表示位置を検出すると、そのスライスの表示位置が予め設定されている表示範囲内に含まれているか否かを判定する。
例えば、フレームの上下に多くのエラーが発生していても、フレームの中央に発生しているエラーの回数が少なければ、比較的見易いと映像と考えられるので、そのスライスの表示位置が予め設定されているフレームの中央領域に含まれているか否かを判定する。
【００４９】
エラー未カウント指示部３２は、エラーが発生しているスライスの表示位置が予め設定されている表示範囲内に含まれていると判定する場合、復号化エラーカウント部３におけるエラー回数Ｘのカウントを禁止する制御信号を復号化エラーカウント部３に出力する。
復号化エラーカウント部３は、ＭＰＥＧビデオデコード部２からエラー通知を受ける毎に、ＭＰＥＧビデオデコード部２における復号化過程のエラー回数Ｘをカウントアップするが、エラー未カウント指示部３２からカウントを禁止する制御信号を受けると、そのエラー回数Ｘをカウントアップしないようにする。
その他は、上記実施の形態２と同様であるため説明を省略する。
【００５０】
以上で明らかなように、この実施の形態３によれば、ＭＰＥＧビデオデコード部２における復号化過程でエラーが発生すると、そのエラーが発生しているスライスを特定し、そのスライスの表示位置が予め設定されている表示範囲内に含まれている場合、エラー回数Ｘをカウントしないように構成したので、例えば、フレームの上下に多くのエラーが発生していても、フレームの中央に多くのエラーが発生していなければ、比較的見易いと考えられる映像を表示することができる効果を奏する。
【００５１】
実施の形態４．
図７はこの発明の実施の形態４によるデジタル放送受信装置を示す構成図であり、図において、図６と同一符号は同一または相当部分を示すので説明を省略する。
動きベクトル抽出部３３はＭＰＥＧビデオデコード部２から復号化過程で用いられる動きベクトルを１フレーム分取得して、その１フレームの動きベクトルの平均値を算出する処理を実施する。
動きベクトル閾値決定部３４は動きベクトル抽出部３３により算出された動きベクトルの平均値と予め設定された閾値を比較し、その比較結果に応じた閾値増減量Ｒを映像表示判定部８のエラーカウント閾値抽出部１５及びフレームカウント閾値抽出部２５に出力する。
なお、動きベクトル抽出部３３及び動きベクトル閾値決定部３４は表示単位切替手段を構成している。
【００５２】
映像表示判定部８のエラーカウント閾値抽出部１５はエラーカウント閾値制御表格納部１１に格納されているエラーカウント閾値制御表の中から、現在の表示単位に対応する閾値を抽出するとともに、その閾値を動きベクトル閾値決定部３４から出力された閾値増減量Ｒで補正し、補正後の閾値をエラーカウント判定部１３に出力する処理を実施する。
映像表示判定部８のフレームカウント閾値抽出部２５はフレームカウント閾値制御表格納部２１に格納されているフレームカウント閾値制御表の中から、現在の表示単位に対応する閾値を抽出するとともに、その閾値を動きベクトル閾値決定部３４から出力された閾値増減量Ｒで補正し、補正後の閾値をフレームカウント判定部２３に出力する処理を実施する。
【００５３】
上記実施の形態１，２では、映像表示判定部８のエラーカウント閾値抽出部１２及びフレームカウント閾値抽出部２２がエラーカウント閾値制御表格納部１１，２１に格納されているエラーカウント閾値制御表又はフレームカウント閾値制御表の中から、現在の表示単位に対応する閾値を抽出して、エラーカウント判定部１３又はフレームカウント判定部２３に出力するものについて示したが、現在の表示単位に対応する閾値を補正してから、エラーカウント判定部１３又はフレームカウント判定部２３に出力するようにしてもよい。
具体的には、以下の通りである。
【００５４】
動きベクトル抽出部３３は、ＭＰＥＧビデオデコード部２から復号化過程で用いられる動きベクトルを１フレーム分取得して、その１フレームの動きベクトルの平均値を算出する。
動きベクトル閾値決定部３４は、動きベクトル抽出部３３が１フレームの動きベクトルの平均値を算出すると、その動きベクトルの平均値と予め設定された閾値を比較する。
動きベクトル閾値決定部３４は、動きの少ない映像では、再生するフレームにエラーが大量に発生すると、映像が極めて見難くなるので、その動きベクトルの平均値が予め設定された閾値より小さい場合には、閾値Ａ１，Ａ２，Ｂ１，Ｂ２，Ｆ１，Ｆ２を下げる閾値増減量Ｒをエラーカウント閾値抽出部１５及びフレームカウント閾値抽出部２５に出力して、映像があまり再生させないようにする。
一方、動きの多い映像では、再生するフレームにエラーが大量に発生しても、出来る限り、映像を再生した方が動きが見やすくなるので、その動きベクトルの平均値が予め設定された閾値より大きい場合には、閾値Ａ１，Ａ２，Ｂ１，Ｂ２，Ｆ１，Ｆ２を上げる閾値増減量Ｒをエラーカウント閾値抽出部１５及びフレームカウント閾値抽出部２５に出力して、映像を出来る限り再生させるようにする。
【００５５】
映像表示判定部８のエラーカウント閾値抽出部１５は、エラーカウント判定部１３から閾値の抽出依頼を受けると、図６のエラーカウント閾値抽出部１２と同様に、エラーカウント閾値制御表格納部１１に格納されているエラーカウント閾値制御表の中から、現在の表示単位に対応する閾値を抽出するが、その閾値を動きベクトル閾値決定部３４から出力された閾値増減量Ｒで補正し、補正後の閾値をエラーカウント判定部１３に出力する処理を実施する。
【００５６】
また、映像表示判定部８のフレームカウント閾値抽出部２５は、フレームカウント判定部２３から閾値の抽出依頼を受けると、図６のフレームカウント閾値抽出部２２と同様に、フレームカウント閾値制御表格納部２１に格納されているフレームカウント閾値制御表の中から、現在の表示単位に対応する閾値を抽出するが、その閾値を動きベクトル閾値決定部３４から出力された閾値増減量Ｒで補正し、補正後の閾値をフレームカウント判定部２３に出力する処理を実施する。
その他の処理は、上記実施の形態３と同様であるため説明を省略する。
【００５７】
以上で明らかなように、この実施の形態４によれば、ＭＰＥＧビデオデコード部２から復号化過程で用いられる動きベクトルを取得し、その動きベクトルの大きさを考慮して映像の表示単位を決定するように構成したので、映像の動き具合が変化しても、見易い映像を表示することができる効果を奏する。
【００５８】
なお、この実施の形態４では、動きベクトル抽出部３３が１フレームの動きベクトルの平均値を算出し、動きベクトル閾値決定部３４が動きベクトルの平均値と予め設定された閾値を比較するものについて示したが、動きベクトル抽出部３３が１フレームの中で最大の動きベクトルを抽出し、動きベクトル閾値決定部３４が最大の動きベクトルと予め設定された閾値を比較するようにしてもよい。
【００５９】
実施の形態５．
図８はこの発明の実施の形態５によるデジタル放送受信装置を示す構成図であり、図において、図７と同一符号は同一または相当部分を示すので説明を省略する。
番組情報抽出部３５はＭＰＥＧ−ＴＳデータに含まれている番組情報を抽出する処理を実施する。
番組情報閾値決定部３６は番組情報抽出部３５により抽出された番組情報から番組のジャンルを特定し、そのジャンルに応じた閾値増減量Ｐを映像表示判定部８のエラーカウント閾値抽出部１６及びフレームカウント閾値抽出部２６に出力する。
なお、番組情報抽出部３５及び番組情報閾値決定部３６は表示単位切替手段を構成している。
【００６０】
映像表示判定部８のエラーカウント閾値抽出部１６はエラーカウント閾値制御表格納部１１に格納されているエラーカウント閾値制御表の中から、現在の表示単位に対応する閾値を抽出するとともに、その閾値を動きベクトル閾値決定部３４及び番組情報閾値決定部３６から出力された閾値増減量Ｒ，Ｐで補正し、補正後の閾値をエラーカウント判定部１３に出力する処理を実施する。
映像表示判定部８のフレームカウント閾値抽出部２６はフレームカウント閾値制御表格納部２１に格納されているフレームカウント閾値制御表の中から、現在の表示単位に対応する閾値を抽出するとともに、その閾値を動きベクトル閾値決定部３４及び番組情報閾値決定部３６から出力された閾値増減量Ｒ，Ｐで補正し、補正後の閾値をフレームカウント判定部２３に出力する処理を実施する。
【００６１】
上記実施の形態４では、動きベクトル閾値決定部３４から出力された閾値増減量Ｒで、現在の表示単位に対応する閾値を補正するものについて示したが、さらに、番組情報閾値決定部３６から出力された閾値増減量Ｐで、現在の表示単位に対応する閾値を補正するようにしてもよい。
具体的には、以下の通りである。
【００６２】
番組情報抽出部３５は、ＭＰＥＧ−ＴＳデータに含まれている番組情報を抽出する処理を実施する。
番組情報閾値決定部３６は、番組情報抽出部３５から番組情報を受けると、その番組情報から番組のジャンルを特定する。即ち、映像の変動が大きいジャンルであるか否かを特定する。
番組情報閾値決定部３６は、予め、ジャンル毎に定義された閾値増減量Ｐを記憶しており、その特定した番組のジャンルに対応する閾値増減量Ｐを映像表示判定部８のエラーカウント閾値抽出部１６及びフレームカウント閾値抽出部２６に出力する。
なお、映像の変動が大きいジャンルには、閾値Ａ１，Ａ２，Ｂ１，Ｂ２，Ｆ１，Ｆ２を上げる閾値増減量が定義され、映像の変動が小さいジャンルには、閾値Ａ１，Ａ２，Ｂ１，Ｂ２，Ｆ１，Ｆ２を下げる閾値増減量が定義されている。
【００６３】
映像表示判定部８のエラーカウント閾値抽出部１６は、エラーカウント判定部１３から閾値の抽出依頼を受けると、図７のエラーカウント閾値抽出部１５と同様に、現在の表示単位に対応する閾値を動きベクトル閾値決定部３４から出力された閾値増減量Ｒで補正するが、さらに、現在の表示単位に対応する閾値を番組情報閾値決定部３６から出力された閾値増減量Ｐで補正し、補正後の閾値をエラーカウント判定部１３に出力する処理を実施する。
【００６４】
また、映像表示判定部８のフレームカウント閾値抽出部２６は、フレームカウント判定部２３から閾値の抽出依頼を受けると、図７のフレームカウント閾値抽出部２５と同様に、現在の表示単位に対応する閾値を動きベクトル閾値決定部３４から出力された閾値増減量Ｒで補正するが、さらに、現在の表示単位に対応する閾値を番組情報閾値決定部３６から出力された閾値増減量Ｐで補正し、補正後の閾値をフレームカウント判定部２３に出力する処理を実施する。
【００６５】
以上で明らかなように、この実施の形態５によれば、ＭＰＥＧ−ＴＳデータに含まれている番組情報を抽出し、その番組情報が示す番組ジャンルを考慮して映像の表示単位を決定するように構成したので、番組のジャンルが変化しても、見易い映像を表示することができる効果を奏する。
【図面の簡単な説明】
【００６６】
【図１】この発明の実施の形態１によるデジタル放送受信装置を示す構成図である。
【図２】この発明の実施の形態１によるデジタル放送受信装置の映像表示判定部４における表示単位の切替順序を示す遷移図である。
【図３】エラーカウント閾値制御表格納部１１に格納されているエラーカウント閾値制御表を示す説明図である。
【図４】この発明の実施の形態２によるデジタル放送受信装置を示す構成図である。
【図５】フレームカウント閾値制御表格納部２１に格納されているエラーカウント閾値制御表を示す説明図である。
【図６】この発明の実施の形態３によるデジタル放送受信装置を示す構成図である。
【図７】この発明の実施の形態４によるデジタル放送受信装置を示す構成図である。
【図８】この発明の実施の形態５によるデジタル放送受信装置を示す構成図である。
【符号の説明】
【００６７】
１  ＭＰＥＧ−ＴＳ分離部（復号化手段）、２  ＭＰＥＧビデオデコード部（復号化手段）、３  復号化エラーカウント部（エラーカウント手段）、４  映像表示判定部（表示単位切替手段）、５  映像表示切替部（表示単位切替手段）、６  映像表示部（映像表示手段）、７  表示フレームカウント部（フレームカウント手段）、８  映像表示判定部（表示単位切替手段）、１１  エラーカウント閾値制御表格納部、１２  エラーカウント閾値抽出部、１３  エラーカウント判定部、１４  エラーカウント表示切替指示部、１６  エラーカウント閾値抽出部、１５  エラーカウント閾値抽出部、２１  フレームカウント閾値制御表格納部、２２  フレームカウント閾値抽出部、２３  フレームカウント判定部、２４  フレームカウント表示切替指示部、２５  フレームカウント閾値抽出部、２６  フレームカウント閾値抽出部、３１  スライス表示位置検出部（エラーカウント手段）、３２  エラー未カウント指示部（エラーカウント手段）、３３  動きベクトル抽出部（表示単位切替手段）、３４  動きベクトル閾値決定部（表示単位切替手段）、３５  番組情報抽出部（表示単位切替手段）、３６  番組情報閾値決定部（表示単位切替手段）。
【図１】
2006339863.tif 000003
【図２】
2006339863.tif 000004
【図３】
2006339863.tif 000005
【図４】
2006339863.tif 000006
【図５】
2006339863.tif 000007
【図６】
2006339863.tif 000008
【図７】
2006339863.tif 000009
【図８】
2006339863.tif 000010